(57)【要約】【課題】従来の包装箱は開梱するための指掛け用の開口が外フラップに形成され、この開口の存在によって内容物の気密性が低下する。【解決手段】第１外フラップ１６，１７がつながる第１の長さ面１１と、第１内フラップ１８，１９がつながる第１の幅面１２と、第２外フラップ２０，２１がつながる第２の長さ面１３と、第２内フラップ２２，２３がつながる第２の幅面１４と、第１の長さ面１１および第２の幅面１４の何れか一方につながる継ぎしろ１５とを具え、外フラップと内フラップとの重なり合う部分が接着剤２４にてそれぞれ接合された本発明による包装箱１０は、接着剤にて接合された外フラップの部分１６ａ，１７ａ，２０ａ，２１ａを仕切るように、外フラップに刻設されて外フラップから分断可能な複数の切り離し用罫線部２５と、スコアと平行な外フラップの端縁の中央部にそれぞれ円弧状に刻設された指掛け用罫線部２７とをさらに具える。【選択図】図２
2015137133.tif 000002
【特許請求の範囲】
【請求項１】
上部第１外フラップおよび下部第１外フラップがそれぞれスコアを介してつながる第１の長さ面と、
この第１の長さ面にクリーズを介してつながり、かつ展開状態において前記上部第１外フラップに隣接する上部第１内フラップおよび前記下部第１外フラップに隣接する下部第１内フラップがそれぞれスコアを介してつながる第１の幅面と、
この第１の幅面にクリーズを介してつながり、かつ展開状態において前記上部第１内フラップに隣接する上部第２外フラップおよび前記下部第１内フラップに隣接する下部第２外フラップがそれぞれスコアを介してつながる第２の長さ面と、
この第２の長さ面にクリーズを介してつながり、かつ展開状態において前記上部第２外フラップに隣接する上部第２内フラップおよび前記下部第２外フラップに隣接する下部第２内フラップがそれぞれスコアを介してつながる第２の幅面と、
前記第１の長さ面および前記第２の幅面の何れか一方にクリーズを介してつながる継ぎしろと
を具え、前記外フラップと前記内フラップとのそれぞれ重なり合う部分が接着剤にてそれぞれ接合された包装箱であって、
前記接着剤にて接合された前記外フラップの部分または前記内フラップの部分を仕切るように、前記外フラップまたは前記内フラップにそれぞれ刻設されて前記外フラップまたは前記内フラップから分断可能な複数の切り離し用罫線部と、
前記スコアと平行な前記上部第１および第２の外フラップの端縁の中央部と、前記下部第１および第２の外フラップの端縁の中央部とにそれぞれ円弧状に刻設された指掛け用罫線部と
をさらに具えたことを特徴とする包装箱。
【請求項２】
前記第１の長さ面および前記第２の幅面の何れか他方と前記継ぎしろとの重なり合う部分が接着剤にて接合され、この接着剤にて接合された前記第１の長さ面および前記第２の幅面の何れか他方の部分または前記継ぎしろの部分を仕切るように、前記第１の長さ面および前記第２の幅面の何れか他方または前記継ぎしろに刻設されて前記第１の長さ面および前記第２の幅面の何れか他方または前記継ぎしろから分断可能な第２の切り離し用罫線部をさらに具えたことを特徴とする請求項１に記載の包装箱。
【請求項３】
前記第２の切り離し用罫線部が前記継ぎしろに刻設され、前記第１の長さ面および前記第２の幅面の何れか一方と前記継ぎしろとをつなぐクリーズが前記第２の切り離し用罫線部を含むことを特徴とする請求項２に記載の包装箱。
【請求項４】
上部第１外フラップおよび下部第１外フラップがそれぞれスコアを介してつながる第１の長さ面と、
この第１の長さ面にクリーズを介してつながり、かつ前記上部第１外フラップに隣接する上部第１内フラップおよび前記下部第１外フラップに隣接する下部第１内フラップがそれぞれスコアを介してつながる第１の幅面と、
この第１の幅面にクリーズを介してつながり、かつ前記上部第１内フラップに隣接する上部第２外フラップおよび前記下部第１内フラップに隣接する下部第２外フラップがそれぞれスコアを介してつながる第２の長さ面と、
この第２の長さ面にクリーズを介してつながり、かつ前記上部第２外フラップに隣接する上部第２内フラップおよび前記下部第２外フラップに隣接する下部第２内フラップがそれぞれスコアを介してつながる第２の幅面と、
前記第１の長さ面および前記第２の幅面の何れか一方にクリーズを介してつながる継ぎしろと
を具え、前記外フラップと前記内フラップとの重ね合わせ部分が接着剤にてそれぞれ接合される包装箱のブランクシートであって、
前記接着剤にて接合される前記外フラップの部分または前記内フラップの部分を仕切るように、前記外フラップまたは前記内フラップにそれぞれ刻設されて前記外フラップまたは前記内フラップから分断可能な複数の切り離し用罫線部と、
前記スコアと平行な前記上部第１および第２の外フラップの端縁の中央部と、前記下部第１および第２の外フラップの端縁の中央部とにそれぞれ円弧状に刻設された指掛け用罫線と
をさらに具えたことを特徴とする包装箱のブランクシート。
【請求項５】
前記継ぎしろと重なり合って接着剤にて接合される前記第１の長さ面および前記第２の幅面の何れか他方の部分または前記継ぎしろの部分を仕切るように、前記第１の長さ面および前記第２の幅面の何れか他方または前記継ぎしろに刻設されて前記第１の長さ面および前記第２の幅面の何れか他方または前記継ぎしろから分断可能な第２の切り離し用罫線部をさらに具えたことを特徴とする請求項４に記載の包装箱のブランクシート。
【請求項６】
前記第２の切り離し用罫線部が前記継ぎしろに刻設され、前記第１の長さ面および前記第２の幅面の何れか一方と前記継ぎしろとをつなぐ前記クリーズが前記第２の切り離し用罫線部を含むことを特徴とする請求項５に記載の包装箱のブランクシート。
【発明の詳細な説明】
【技術分野】
【０００１】
本発明は、物品を収容するための包装箱およびそのブランクシートに関し、特に段ボール製の組立て形ラップアラウンドケースなどに適用し得るものである。
【背景技術】
【０００２】
交互に配列する長さ面と幅面とが継ぎしろを介してつながり、開口部分が一対の内フラップと、これらに重ね合わされる外フラップとで塞がれるワンピース構成のブランクシートからなる包装箱が商業的に用いられている。これらは、ＪＩＳ-Ｚ１５０７において、０２形（溝切り形）や０４形（組立て形）などの段ボール箱として周知であり、多種多様な物品を収容するためのさまざまな形態のものが規定されている。このような段ボール製の包装箱に収容された内容物を取り出す場合、包装箱を開梱する必要があり、このためにカッターなどを用いることなく包装箱を容易に開梱できるようにした技術が特許文献１や特許文献２などで提案されている。
【先行技術文献】
【特許文献】
【０００３】
【特許文献１】特開２０００−１８５７３２号公報
【特許文献２】特開２００２−１２２２０号公報
【発明の概要】
【発明が解決しようとする課題】
【０００４】
ワンピース構成のブランクシートを用いた段ボール製の包装箱を開梱する場合、外フラップと内フラップとの接合部分にて段ボールを構成するライナの一部が剥離してしまい、開梱後の包装箱の外観が非常に見苦しい状態となることがある。また、作業者の力の入れ方によっては、予期しない形態で外フラップや内フラップが切り裂かれてしまうことがしばしば発生するため、リサイクルのための取り扱いが面倒になったり、より広い保管スペースを必要とする可能性があった。
【０００５】
一方、特許文献１や特許文献２に開示された従来の包装箱では、指掛け用の開口が外フラップに形成されているため、この開口の存在によって内容物の気密性を維持することができない。
【０００６】
本発明の目的は、従来の包装箱よりも気密性が高く、しかも容易に開梱することができる包装箱およびそのブランクシートを提供することにある。
【課題を解決するための手段】
【０００７】
上述した目的を達成し得る本発明の第１の形態は、上部第１外フラップおよび下部第１外フラップがそれぞれスコアを介してつながる第１の長さ面と、この第１の長さ面にクリーズを介してつながり、かつ展開状態において前記上部第１外フラップに隣接する上部第１内フラップおよび前記下部第１外フラップに隣接する下部第１内フラップがそれぞれスコアを介してつながる第１の幅面と、この第１の幅面にクリーズを介してつながり、かつ展開状態において前記上部第１内フラップに隣接する上部第２外フラップおよび前記下部第１内フラップに隣接する下部第２外フラップがそれぞれスコアを介してつながる第２の長さ面と、この第２の長さ面にクリーズを介してつながり、かつ展開状態において前記上部第２外フラップに隣接する上部第２内フラップおよび前記下部第２外フラップに隣接する下部第２内フラップがそれぞれスコアを介してつながる第２の幅面と、前記第１の長さ面および前記第２の幅面の何れか一方にクリーズを介してつながる継ぎしろとを具え、前記外フラップと前記内フラップとのそれぞれ重なり合う部分が接着剤にてそれぞれ接合された包装箱であって、前記接着剤にて接合された前記外フラップの部分または前記内フラップの部分を仕切るように、前記外フラップまたは前記内フラップにそれぞれ刻設されて前記外フラップまたは前記内フラップから分断可能な複数の切り離し用罫線部と、スコアと平行な前記上部第１および第２の外フラップの端縁の中央部と、前記下部第１および第２の外フラップの端縁の中央部とにそれぞれ円弧状に刻設された指掛け用罫線部とをさらに具えたことを特徴とする。
【０００８】
本発明における包装箱を開梱する場合、指掛け用罫線部から指先を押し込んで指掛け用罫線部にて囲まれた外フラップの部分を内側に変形させ、ここから外フラップの内側に指を掛けて一方の外フラップを外側に引っ張る。これにより、この外フラップまたは内フラップに刻設された切り離し用罫線部から接着剤にて接合された外フラップの部分または内フラップの部分を切り離す。同様にして、他方の外フラップも外側に開いてこの外フラップまたは内フラップに刻設された切り離し用罫線部から接着剤にて接合された外フラップの部分または内フラップの部分を切り離す。このようにして、自由な状態となった内フラップをさらに外側に開き、包装箱から内容物を取り出すことができる。
【０００９】
本発明の第１の形態による包装箱において、第１の長さ面および第２の幅面の何れか他方と継ぎしろとの重なり合う部分を接着剤にて接合し、この接着剤にて接合された第１の長さ面および第２の幅面の何れか他方の部分または継ぎしろの部分を仕切るように、第１の長さ面および第２の幅面の何れか他方または継ぎしろに刻設されて第１の長さ面および第２の幅面の何れか他方または継ぎしろから分断可能な第２の切り離し用罫線部をさらに具えることができる。この場合、第２の切り離し用罫線部を継ぎしろに刻設し、第１の長さ面および第２の幅面の何れか一方と継ぎしろとをつなぐクリーズが第２の切り離し用罫線部を含むことが好ましい。
【００１０】
本発明の第２の形態は、上部第１外フラップおよび下部第１外フラップがそれぞれスコアを介してつながる第１の長さ面と、この第１の長さ面にクリーズを介してつながり、かつ展開状態において前記上部第１外フラップに隣接する上部第１内フラップおよび前記下部第１外フラップに隣接する下部第１内フラップがそれぞれスコアを介してつながる第１の幅面と、この第１の幅面にクリーズを介してつながり、かつ展開状態において前記上部第１内フラップに隣接する上部第２外フラップおよび前記下部第１内フラップに隣接する下部第２外フラップがそれぞれスコアを介してつながる第２の長さ面と、この第２の長さ面にクリーズを介してつながり、かつ展開状態において前記上部第２外フラップに隣接する上部第２内フラップおよび前記下部第２外フラップに隣接する下部第２内フラップがそれぞれスコアを介してつながる第２の幅面と、前記第１の長さ面および前記第２の幅面の何れか一方にクリーズを介してつながる継ぎしろとを具え、前記外フラップと前記内フラップとのそれぞれ重なり合う部分が接着剤にてそれぞれ接合される包装箱のブランクシートであって、前記接着剤にて接合される前記外フラップの部分または前記内フラップの部分を仕切るように、前記外フラップまたは前記内フラップにそれぞれ刻設されて前記外フラップまたは前記内フラップから分断可能な複数の切り離し用罫線部と、スコアと平行な前記上部第１および第２の外フラップの端縁の中央部と、前記下部第１および第２の外フラップの端縁の中央部とにそれぞれ円弧状に刻設された指掛け用罫線とをさらに具えたことを特徴とする。
【００１１】
本発明の第２の形態による包装箱のブランクシートにおいて、継ぎしろと重なり合って接着剤にて接合される第１の長さ面および第２の幅面の何れか他方の部分または継ぎしろの部分を仕切るように、第１の長さ面および第２の幅面の何れか他方または継ぎしろに刻設されて第１の長さ面および第２の幅面の何れか他方または継ぎしろから分断可能な第２の切り離し用罫線部をさらに具えることができる。この場合、第２の切り離し用罫線部を継ぎしろに刻設し、第１の長さ面および第２の幅面の何れか一方と継ぎしろとをつなぐクリーズが第２の切り離し用罫線部を含むことが好ましい。
【発明の効果】
【００１２】
本発明によると、上部の外フラップの端縁の中央部と、下部の外フラップの端縁の中央部とに指掛け用罫線部とを具えているので、包装箱の密閉性を損なうことなく、開梱時に外フラップを容易につまみ上げて引き開けることができる。
【００１３】
第１の長さ面および第２の幅面の何れか他方または継ぎしろから分断可能な第２の切り離し用罫線部を具えている場合、包装箱をブランクシートの状態にまで容易に開梱することができる。特に、第２の切り離し用罫線部を継ぎしろに刻設し、第１の長さ面および第２の幅面の何れか一方と継ぎしろとをつなぐクリーズが第２の切り離し用罫線部を含ませた場合、継ぎしろの幅分だけブランクシートを小さくすることが可能となる。結果として、その保管スペースを狭めることができる。
【図面の簡単な説明】
【００１４】
【図１】本発明による包装箱を３５０ミリリットルの容量を持つ缶飲料に対して適用した一実施形態の外観を透視状態で表す立体投影図である。
【図２】図１に示した包装箱に対応したブランクシートの平面図である。
【図３】図１に示した包装箱の開梱し始めを模式的に表す立体投影図である。
【図４】図１に示した包装箱を開梱して展開した状態の平面図である。
【図５】本発明による包装箱のブランクシートの他の実施形態を表す平面図である。
【図６】図５に示した実施形態において、使用後に開梱して展開した状態の平面図である。
【発明を実施するための形態】
【００１５】
本発明による包装箱を段ボール製の組立て形ラップアラウンドケースに応用した実施形態について、図１〜図６を参照しながら詳細に説明する。なお、本発明はこのような実施形態のみに限らず、包装箱のブランクシートがワンピース構成でありさえすれば、他の任意の形態の包装箱に応用することが可能である。
【００１６】
本実施形態による包装箱の外観を図１に透視状態で示し、そのブランクシートの平面形状を図２に示す。すなわち、二点鎖線で示す缶飲料１を整列状態で２ダース収容するための本実施形態における段ボール製の包装箱１０は、第１の長さ面１１と、第１の幅面１２と、第２の長さ面１３と、第２の幅面１４と、継ぎしろ１５とを具えている。
【００１７】
缶飲料１を梱包した組立て状態において第２の長さ面１３と向かい合う第１の長さ面１１には、上部第１外フラップ１６および下部第１外フラップ１７がそれぞれスコアＳ１を介してつながっている。第１の幅面１２は、クリーズＣ１を介して第１の長さ面１１につながっている。この第１の幅面１２には、包装箱１０の展開状態において上部第１外フラップ１６に隣接する上部第１内フラップ１８と、下部第１外フラップ１７に隣接する下部第１内フラップ１９とがそれぞれスコアＳ２を介してつながっている。第２の長さ面１３は、クリーズＣ２を介して第１の幅面１２につながっている。この第２の長さ面１３には、包装箱１０の展開状態において上部第１内フラップ１８に隣接する上部第２外フラップ２０と、下部第１内フラップ１９に隣接する下部第２外フラップ２１とがそれぞれスコアＳ３を介してつながっている。缶飲料１を梱包した組立て状態において第１の幅面１２と向かい合う第２の幅面１４は、クリーズＣ３を介して第２の長さ面１３につながっている。この第２の幅面１４には、包装箱１０の展開状態において上部第２外フラップ２０に隣接する上部第２内フラップ２２と、下部第２外フラップ２１に隣接する下部第２内フラップ２３とがそれぞれスコアＳ４を介してつながっている。
【００１８】
なお、スコアＳ１，Ｓ３から外フラップ１６，１７，２０，２１までのそれぞれの高さは、スコアＳ２，Ｓ４に沿った第１および第２の幅面１２，１４の幅寸法の１／２に設定されている。これにより、包装箱１０を隙間なく閉じてその密封性を高めることができる。
【００１９】
第１の長さ面１１と第２幅面１４とを接合するための継ぎしろ１５は、この第２の幅面１４にクリーズＣ４を介してつながっている。
【００２０】
外フラップ１６，１７，２０，２１と内フラップ１８，１９，２２，２３とのそれぞれ重なり合う部分は、接着剤２４にてそれぞれ接合され、また第１の長さ面１１と継ぎしろ１５との重なり合う部分も接着剤２４にて接合されている。本実施形態では、継ぎしろ１５を第１の長さ面１１の内側に重ね合わせて外部に露出しないようにしているが、継ぎしろ１５を第１の長さ面１１の外側に重ね合わせて外部に露出させるようにしてもよい。
【００２１】
外フラップ１６，１７，２０，２１には、接着剤２４にて接合された外フラップの部分（切り離し部）１６ａ，１７ａ，２０ａ，２１ａを仕切るように、外フラップ１６，１７，２０，２１から分断可能な複数の切り離し用罫線部２５がそれぞれ刻設されている。また、第１の長さ面１１には、接着剤２４にて接合された第１の長さ面の部分（第２切り離し部）１１ａを仕切るように、第１の長さ面１１から分断可能な第２の切り離し用罫線部２６が刻設されている。
【００２２】
スコアＳ１，Ｓ３と平行な上部第１および第２の外フラップ１６，２０の端縁の中央部ならびに下部第１および第２の外フラップ１７，２１の端縁の中央部には、指掛け用罫線部２７がそれぞれ円弧状に刻設されている。外フラップ１６，１７，２０，２１の端縁は、相互に突き当たるように内フラップ２８，１９，２２，２３に接着剤２４を介して接合され、包装箱１０の内部の密閉状態を維持している。
【００２３】
缶飲料１を梱包した包装箱１０を開梱して缶飲料を取り出す場合、図３に示すように作業者は指先を上部第１および第２の外フラップ１６，２０の指掛け用罫線部２７の間に差し込む。そして、上部外フラップ１６，２０の端縁の中央部を指掛け用罫線部２７に沿って内側に変形させ、外フラップ１６，２０の内側に指を掛ける（図３では外フラップ２０の内側に指を掛けている）。この状態で上部第２外フラップ２０を引っ張り上げると、切り離し用罫線部２５から外フラップ２０の切り離し部２０ａが切り離され、この切り離し部２０ａは上部第１および第２の内フラップ１８，２１に接着剤を介して接合した状態のままとなる。同様にして残りの外フラップ１６，１７，２１も引っ張り上げ、さらに第１の長さ面１１と第２の幅面１４とを引き離すように力を加えて第２の切り離し用罫線部２６から第１の長さ面１１と第２の幅面１４とを切り離す。
【００２４】
このようにして包装箱１０を開梱してこれを展開した状態を図４に示す。図４から明らかなように、すべての切り離し部１６ａ，１７ａ，２０ａ，２１ａが外フラップ１６，１７，２０，２１の切り離し用罫線部２５から切り離され、接着剤２４によって内フラップ１８，１９，２２，２３に接合した状態となっている。同様に、第２切り離し部１１ａが第１の長さ面１１から切り離され、接着剤２４によって継ぎしろ１５に接合した状態となっている。従って包装箱１０の開梱によって、段ボールを構成するライナの一部が剥離したり、予期しない形態で外フラップ１６，１７，２０，２１や第１の長さ面１１が切り裂かれてしまうような不具合は発生しないことが理解される。
【００２５】
なお、この指掛け用罫線部２７を含む上述した切り離し用罫線部２５，２６の形状や寸法ならびに刻設位置などに関しては、その目的などに応じて任意に修正および変更し得る選択事項であり、上述した実施形態に限定されない。また、第１の長さ面１１と第２の幅面１４とを継ぎしろ１５の部分から分断して包装箱１０を完全にブランクシートの状態にまで展開する必要がない場合、上述した切り離し罫線部２６を第１の長さ面１１に形成しなくてもかまわない。
【００２６】
上述した実施形態では、切り離し用罫線部２５を外フラップ１６，１７，２０，２１側に形成したが、内フラップ１８，１９，２２，２３側に形成することも可能である。このような本発明による包装箱のブランクシートの他の実施形態の平面図を図５に示し、その使用後の展開状態を図６に示すが、先の実施形態と同一機能の要素にはこれと同一符号を記すに止め、重複する説明は省略するものとする。
【００２７】
内フラップ１８，１９，２２，２３には、接着剤２４にて接合される内フラップの部分、すなわち切り離し部１８ａ，１９ａ，２２ａ，２３ａを仕切るように、内フラップ１８，１９，２２，２３から分断可能な複数の切り離し用罫線部２８がそれぞれ刻設されている。本実施形態では、第２の切り離し用罫線部２９を継ぎしろ１５に刻設し、第１の長さ面１１と継ぎしろ１５とをつなぐクリーズＣ５がこの第２の切り離し用罫線部２９を兼ねるように構成している。これにより、図６に示すように、開梱状態においては継ぎしろ１５の部分が第１の長さ面１１から切り離されて第２の幅面１４に重ね合わされた状態となるため、開梱状態における包装箱の保管スペースを継ぎしろ１５の幅分だけ小さくすることができる。また、本実施形態では、継ぎしろ１５を第１の長さ面１１にクリーズＣ５を介してつなげているが、先の実施形態と同じように第２の幅面１４側につなげるようにしてもかまわない。
【００２８】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００２９】
１  缶飲料
１０  包装箱
１１  第１の長さ面
１１ａ  第２切り離し部
１２  第１の幅面
１３  第２の長さ面
１４  第２の幅面
１５  継ぎしろ
１６  上部第１外フラップ
１６ａ  切り離し部
１７  下部第１外フラップ
１７ａ  切り離し部
１８  上部第１内フラップ
１８ａ  切り離し部
１９  下部第１内フラップ
１９ａ  切り離し部
２０  上部第２外フラップ
２０ａ  切り離し部
２１  下部第２外フラップ
２１ａ  切り離し部
２２  上部第２内フラップ
２２ａ  切り離し部
２３  下部第２内フラップ
２３ａ  切り離し部
２４  接着剤
２５，２８  切り離し用罫線部
２６，２９  第２の切り離し用罫線部
２７  指掛け用罫線部
Ｓ１〜Ｓ４  スコア
Ｃ１〜Ｃ５  クリーズ
【図１】
2015137133.tif 000003
【図２】
2015137133.tif 000004
【図３】
2015137133.tif 000005
【図４】
2015137133.tif 000006
【図５】
2015137133.tif 000007
【図６】
2015137133.tif 000008